【手続補正書】
【提出日】平成25年7月10日(2013.7.10)
【手続補正１】
【補正対象書類名】特許請求の範囲
【補正対象項目名】全文
【補正方法】変更
【補正の内容】
【特許請求の範囲】
【請求項１】
少なくとも１つの分配装置に保管されるように構成されるアイテムを遠隔管理する方法であって、
ホスト・コンピュータ・システムで、前記分配装置から離れて配置される電子装置からユーザＩＤ情報を受信すること、
前記ホスト・コンピュータ・システムから前記電子装置へ、患者に関連付けられるアイテムの処置を送信すること、
前記ホスト・コンピュータ・システムで、前記分配装置に基づくアイテムに関する情報を遠隔電子装置から受信することであって、前記情報が前記アイテムのさらなる処置を含む、前記情報を受信すること、
を備え、
前記アイテムのさらなる処置が、前記分配装置に返却されたアイテムまたはアイテムの少なくとも一部を廃棄することを含む、方法。
【請求項２】
前記ホスト・コンピュータ・システムで、前記電子装置から前記患者の患者ＩＤ情報を受信することをさらに備える、請求項１に記載の方法。
【請求項３】
患者にまだ投与されていないか、まだ廃棄されていないか、あるいは前記分配装置にまだ返却されていない、ユーザが前記分配装置から移動させたアイテムのリストを、前記ホスト・コンピュータ・システムから前記遠隔電子装置へ送信することをさらに備える、請求項１に記載の方法。
【請求項４】
前記アイテムのリストが、廃棄されるアイテムの少なくとも一部または前記分配装置に返却されるアイテムの少なくとも一部を含む、請求項３に記載の方法。
【請求項５】
前記アイテムの少なくとも一部は、管理された医薬品または医療用品である、請求項１に記載の方法。
【請求項６】
ホスト装置で前記遠隔電子装置から受信した、前記管理される医薬品または医療用品の前記少なくとも一部に関する情報の少なくとも一部を前記ホスト装置から前記分配装置へ送信することをさらに備える、請求項５に記載の方法。
【請求項７】
前記ホスト・コンピュータ・システムで、前記管理された医薬品または医療用品の少なくとも一部が移動されていることの確認を前記分配装置から受信することをさらに備える、請求項６に記載の方法。
【請求項８】
前記分配装置が施錠により保護され、前記アイテムの返却前に解錠することをさらに備える、請求項１に記載の方法。
【請求項９】
前記遠隔電子装置がグラフィカル・ユーザ・インタフェースを備え、ユーザ入力の少なくとも一部が前記グラフィカル・ユーザ・インタフェースを通じて受信される、請求項１に記載の方法。
【請求項１０】
前記グラフィカル・ユーザ・インタフェースがウェブブラウザを備える、請求項９に記載の方法。
【請求項１１】
前記管理された医薬品または医療用品のさらなる処置が前記アイテムの少なくとも一部の廃棄を含む、請求項５に記載の方法。
【請求項１２】
前記ホスト・コンピュータ・システムから前記遠隔電子装置へ前記管理された医薬品または医療用品の少なくとも一部の廃棄に関する情報を送信することをさらに備える、請求項１１に記載の方法。
【請求項１３】
前記ホスト・コンピュータ・システムで、前記遠隔電子装置から前記管理された医薬品または医療用品の少なくとも一部の廃棄に関する情報を受信することをさらに備える、請求項１１に記載の方法。
【請求項１４】
前記ホスト・コンピュータ・システムで、前記遠隔電子装置から前記管理された医薬品または医療用品の少なくとも一部の廃棄理由を受信することをさらに備える、請求項１１に記載の方法。
【請求項１５】
前記ホスト・コンピュータ・システムで、前記遠隔電子装置から前記アイテムの少なくとも一部の廃棄に立ち会う立会人に関する情報を受信する、請求項１１に記載の方法。
【請求項１６】
前記立会人を識別する情報が、前記立会人のログオン情報を備える、請求項１５に記載の方法。
【請求項１７】
前記立会人に関する情報をユーザに関する情報と比較すること、
前記立会人がユーザでないことを判定すること、
をさらに備える請求項１５の方法。
【請求項１８】
前記ホスト・コンピュータ・システムと前記分配装置が同じ装置である、請求項１に記載の方法。
【請求項１９】
アイテムを分配するシステムであって、
複数のアイテムを保持するように構成される第１および第２の分配装置であって、前記第１および第２の分配装置の各々は、ユーザ入力を受信するように構成されるプロセッサを含む、前記第１および第２の分配装置と、
前記第１および第２の分配装置の各々でプロセッサと通信するように構成されるホストシステムであって、
前記第１および第２の分配装置の遠隔に配置される電子装置からユーザＩＤ情報を受信し、
前記第１の分配装置に基づくアイテムの処置のユーザ要求を前記電子装置から受信し、前記アイテムが患者に関連付けられており、
前記アイテムのさらなる処置に関する情報を前記遠隔電子装置に送信し、
前記アイテムのさらなる処置に関してユーザから情報を受信するように構成される前記ホストシステムと、
を備え、
前記アイテムのさらなる処置が、前記第２の分配装置に返却されたアイテムまたはアイテムの少なくとも一部を廃棄することを含む、システム。
【請求項２０】
前記ホストシステムが前記電子装置から患者の患者ＩＤ情報を受信するようにさらに構成される、請求項１９に記載のシステム。
【請求項２１】
第１の分配装置と第２の分配装置が保護されている、請求項１９に記載のシステム。
【請求項２２】
前記複数のアイテムが複数の医療用品および薬剤である、請求項２１に記載のシステム。
【請求項２３】
第１の分配装置と第２の分配装置が同じ分配装置である、請求項１９に記載のシステム。
【請求項２４】
前記ホストシステムと前記第１の分配装置が一体化されている、請求項１９に記載のシステム。
【請求項２５】
前記遠隔ユーザシステムがウェブブラウザを備え、ユーザ入力の少なくとも一部がウェブブラウザに受信される、請求項１９のシステム。
【請求項２６】
アイテムの配布を監視する方法であって、
ホスト・コンピュータ・システムで、投与記録システムから第１の患者記録に含まれるデータの少なくとも１つのサブセットを受信すること、
前記ホスト・コンピュータ・システムで、患者の薬物に関する情報用のフィールドを含む第２の患者記録を作製すること、
前記ホスト・コンピュータ・システムで、前記第１の患者記録に含まれる前記データのサブセットの少なくとも一部を前記第２の患者記録に組み入れること、
前記第２の患者記録の少なくとも一部を前記ホスト・コンピュータ・システムから分配装置の遠隔に配置される電子装置に送信すること、
前記ホスト・コンピュータ・システムで、前記第２の患者記録の修正または前記第２の患者記録への追加を受信し、前記修正または追加が前記分配装置に保管される管理された医薬品または医療用品の処置を含むことを備え、
前記管理された医薬品または医療用品の処置が、前記分配装置に返却された前記管理された医薬品または医療用品、または前記管理された医薬品または医療用品の少なくとも一部を廃棄することを含む、方法。
【請求項２７】
前記ホスト・コンピュータ・システムと前記電子投与記録システムが同じシステムである、請求項２６に記載の方法。
【請求項２８】
前記ホスト・コンピュータ・システムと前記分配装置が一体化されている、請求項２６に記載の方法。
【請求項２９】
前記第２の患者記録の前記修正または追加が、前記管理された医薬品または医療用品の少なくとも一部の返却に関する情報を含む、請求項２６の方法。
【請求項３０】
アイテムを分配するシステムであって、
複数のアイテムを保持するように構成される少なくとも１つの分配装置であって、ユーザ入力を受信するように構成されるプロセッサを含む前記少なくとも１つの分配装置と、
カートベースの電子装置と、複数の患者と関連付けられるアイテムを保管するように構成される複数の引出しとを含むカートと、
前記分配装置のプロセッサおよび前記カートベースの電子装置と通信するように構成されるホストシステムであって、
前記複数の患者用の第１のセットの構成データを、前記カートベースの電子装置に送信し、
前記複数の患者の少なくとも１人の患者への前記複数の引出しのうちの少なくとも１つの引出しの割当を決定する第２のセットの構成データを、前記カートベースの電子装置に送信し、
前記カートベースの電子装置から前記複数の引出しのうちの少なくとも１つの引出しに保管されたアイテムの処置を示す処置情報を受信するように構成されるホスト・コンピュータ・システムとを備え、
前記処置情報は、前記分配装置に返却されたアイテムまたはアイテムの少なくとも一部を廃棄することを含む、システム。